【手続補正書】
【提出日】平成16年9月15日(2004.9.15)
【手続補正１】
【補正対象書類名】明細書
【補正対象項目名】全文
【補正方法】変更
【補正の内容】
【書類名】        明細書
【発明の名称】    使い捨ておむつ
【特許請求の範囲】
【請求項１】  透液性表面シートおよび不透液性裏面シートと、それらシートの間に介在する吸液性パネルとから構成され、縦方向に前胴周り域および後胴周り域と、それら胴周り域の間に位置する股下域とを備え、前記パネルの両側縁の外側を縦方向へ延びるサイドフラップと、前記パネルの両端縁の外側を横方向へ延びるエンドフラップとを有し、前記パネルが、前記前後胴周り域の横方向中央部に位置する前後胴周り当接部と、前記股下域の横方向中央部に位置する股下当接部と、前記前後胴周り当接部のうちの少なくとも一方から横方向外方へ延びる一対の翼部とを有する使い捨ておむつにおいて、
縦方向へ延びる折曲案内部が、前記パネルの胴周り当接部と翼部との間に形成され、縦方向へ延びる伸縮性弾性部材が、前記折曲案内部から横方向外方へ所与寸法離間して配置されて前記サイドフラップに収縮可能に取り付けられていることを特徴とする前記おむつ。
【請求項２】  前記弾性部材の縦方向端部が、前記翼部につながっている請求項１記載のおむつ。
【請求項３】  前記折曲案内部は、前記パネルが存在しない非存在域から形成され、前記翼部の股下域寄りに位置する内端縁から前記翼部のエンドフラップ寄りに位置する外端縁へ向かって延びている請求項１または請求項２に記載のおむつ。
【請求項４】  前記折曲案内部は、前記折曲案内部に位置する前記パネルの剛性がそこを除く該パネルの残余のそれよりも低い低剛性域から形成され、前記翼部の股下域寄りに位置する内端縁から前記翼部のエンドフラップ寄りに位置する外端縁へ向かって延びている請求項１または請求項２に記載のおむつ。
【請求項５】  前記折曲案内部は、前記パネルを厚み方向へ切断したスリットから形成され、前記翼部の股下域寄りに位置する内端縁から前記翼部のエンドフラップ寄りに位置する外端縁へ向かって延びている請求項１または請求項２に記載のおむつ。
【発明の詳細な説明】
【０００１】
【発明の属する技術分野】
本発明は、排泄物を吸収、保持する使い捨ておむつに関する。
【０００２】
【従来の技術】
特開２００２−１１０４７公報は、透液性表面シートと不透液性裏面シートとの間に吸液性パネルが介在し、縦方向に前胴周り域および後胴周り域と、それら胴周り域の間に位置する股下域とを備え、パネルの両側縁の外側を縦方向へ延びる一対のサイドフラップと、パネルの両端縁の外側を横方向へ延びる一対のエンドフラップとを有し、平面形状が実質的に砂時計型を呈する解放型の使い捨ておむつを開示している。
【０００３】
パネルは、股下域から前後胴周り域へ向かって延びており、おむつの平面形状と同様に砂時計型を呈する。パネルは、前後胴周り域の横方向中央部に位置する前後胴周り当接部と、股下域の横方向中央部に位置する股下当接部と、前後胴周り当接部から横方向外方へ延びる一対の翼部とを有する。パネルは、フラッフパルプと高吸収性ポリマー粒子と熱可塑性合成樹脂繊維との混合物であり、所与厚みに圧縮されている。ゆえに、パネルは、その剛性が表裏面シートのそれよりも大きい。
【０００４】
このおむつを着用するには、後胴周り域のサイドフラップを前胴周り域のサイドフラップの外側に重ね合わせ、後胴周り域のサイドフラップに取り付けられたテープファスナを前胴周り域の外面に止着して前後胴周り域を連結する。前後胴周り域が連結されたおむつには、胴周り開口と、その下方に一対の脚周り開口とが形成される。
【０００５】
【発明が解決しようとする課題】
前記公報に開示のおむつでは、前後胴周り域を連結した着用状態において、それら胴周り域が環を形成したとしても、表裏面シートよりもその剛性が大きいパネルの翼部が着用者の胴部に沿って折れ曲がることはなく、翼部を着用者の胴部に密着させることが難しい。このおむつでは、パネルの翼部と着用者の胴部との間に隙間が生じ、翼部における排泄物吸収機能を十分に利用することができない場合がある。
【０００６】
本発明の課題は、着用したときにパネルの翼部を着用者の胴部に密着させることができ、翼部における排泄物吸収機能を十分に利用することができる使い捨ておむつを提供することにある。
【０００７】
【課題を解決するための手段】
前記課題を解決するための本発明の前提は、透液性表面シートおよび不透液性裏面シートと、それらシートの間に介在する吸液性パネルとから構成され、縦方向に前胴周り域および後胴周り域と、それら胴周り域の間に位置する股下域とを備え、前記パネルの両側縁の外側を縦方向へ延びるサイドフラップと、前記パネルの両端縁の外側を横方向へ延びるエンドフラップとを有し、前記パネルが、前記前後胴周り域の横方向中央部に位置する前後胴周り当接部と、前記股下域の横方向中央部に位置する股下当接部と、前記前後胴周り当接部のうちの少なくとも一方から横方向外方へ延びる一対の翼部とを有する使い捨ておむつである。
【０００８】
前記前提における本発明の特徴は、縦方向へ延びる折曲案内部が前記パネルの胴周り当接部と翼部との間に形成され、縦方向へ延びる伸縮性弾性部材が前記折曲案内部から横方向外方へ所与寸法離間して配置されて前記サイドフラップに収縮可能に取り付けられていることにある。
【０００９】
本発明の実施の態様の一例としては、前記弾性部材の縦方向端部が前記翼部につながっている。
【００１０】
本発明の実施の態様の他の一例として、前記折曲案内部は、前記パネルが存在しない非存在域から形成され、前記翼部の股下域寄りに位置する内端縁から前記翼部のエンドフラップ寄りに位置する外端縁へ向かって延びている。
【００１１】
本発明の実施の態様の他の一例として、前記折曲案内部は、前記折曲案内部に位置する前記パネルの剛性がそこを除く該パネルの残余のそれよりも低い低剛性域から形成され、前記翼部の股下域寄りに位置する内端縁から前記翼部のエンドフラップ寄りに位置する外端縁へ向かって延びている。
【００１２】
本発明の実施の態様の他の一例として、前記折曲案内部は、前記パネルを厚み方向へ切断したスリットから形成され、前記翼部の股下域寄りに位置する内端縁から前記翼部のエンドフラップ寄りに位置する外端縁へ向かって延びている。
【００１３】
【発明の実施の形態】
添付の図面を参照し、本発明にかかる使い捨ておむつの詳細を説明すると、以下のとおりである。
【００１４】
図１，２は、おむつ１Ａの部分破断平面図と、図１のおむつ１Ａの斜視図とであり、図３，４は、着用状態で示す図１のおむつ１Ａの斜視図と、図３のＡ−Ａ線端面図とである。図１，２では、横方向を矢印Ｘ、縦方向を矢印Ｙで示し、厚み方向を矢印Ｚで示す。なお、表裏面シート２，３や防漏シート５の内面とは、パネル４に対向する面をいい、それらシート２，３，５の外面とは、パネル４に非対向の面をいう。また、パネル４の上面とは、表面シート２に対向する面をいい、パネル４の下面とは、裏面シート３に対向する面をいう。
【００１５】
おむつ１Ａは、肌当接側に位置する透液性表面シート２と、肌非当接側に位置する不透液性裏面シート３と、表裏面シート２，３の間に介在してそれらシート２，３のうちの少なくとも一方の内面に固着された吸液性パネル４とから構成されている。おむつ１Ａは、表裏面シート２，３とパネル４との他に、表面シート２の外面に位置する不透液性防漏シート５を有する。
【００１６】
おむつ１Ａは、縦方向に前胴周り域６および後胴周り域８と、それら胴周り域６，８の間に位置する股下域７とを備え、パネル４の両側縁４ａの外側を縦方向へ延びる一対のサイドフラップ９と、パネル４の両端縁４ｂの外側を横方向へ延びる一対のエンドフラップ１０とを有する。おむつ１Ａは、サイドフラップ９が股下域７において横方向内方へ向かって弧を画いており、その平面形状が砂時計型を呈する。おむつ１Ａは、その着用時に前後胴周り域６，８を連結する開放型のものである。
【００１７】
パネル４は、股下域７から前後胴周り域６，８へ向かって延びている。パネル４は、前後胴周り域６，８の横方向中央部６ａ，８ａに位置する前後胴周り当接部１１，１３と、股下域７の横方向中央部７ａに位置する股下当接部１２と、前胴周り当接部１１から横方向外方へ延びる一対の翼部１４とを有する。パネル４の前胴周り当接部１１と翼部１４との間には、縦方向へ延びる折曲案内部１５が形成されている。
【００１８】
パネル４は、フラッフパルプと高吸収性ポリマー粒子との混合物、または、フラッフパルプと高吸収性ポリマー粒子と熱可塑性合成樹脂繊維との混合物であり、所与厚みに圧縮されている。ゆえに、パネル４は、その剛性が表裏面シート２，３のそれよりも大きい。パネル４は、それの型崩れやポリマー粒子の脱落を防止するため、全体がティッシュペーパーや親水性繊維不織布等の透液性シートに包被されていることが好ましい。
【００１９】
折曲案内部１５は、パネル４が存在しない非存在域１６から形成されている。折曲案内部１５は、翼部１４の股下域７寄りに位置する内端縁１４ａから翼部１４のエンドフラップ１０寄りに位置する外端縁１４ｂへ向かって延びている。折曲案内部１５は、内端縁１４ａから外端縁１４ｂへ向かって先細りのもので、実質的に三角形を呈する。
【００２０】
股下域７のサイドフラップ９には、縦方向へ直状に延びる１条の伸縮性弾性部材１７が配置されている。弾性部材１７は、股下当接部１２の両側縁４ａの外側に位置し、折曲案内部１５から横方向外方へ所与寸法離間している。弾性部材１７は、サイドフラップ９に収縮可能に取り付けられており、その縦方向端部１７ａが翼部１４の内端縁１４ａ近傍につながっている。折曲案内部１５と弾性部材１７との離間寸法は、１〜３０ｍｍの範囲にあることが好ましい。
【００２１】
股下域７のサイドフラップ９には、弾性部材１７から横方向外方へ所与寸法離間して縦方向へ延びる複数条の脚周り用弾性部材１８が収縮可能に取り付けられている。脚周り用弾性部材１８は、股下域７の横方向中央部７ａに向かって実質的に弧を画いている。エンドフラップ１０には、横方向へ延びる帯状の胴周り用弾性部材１９が収縮可能に取り付けられている。
【００２２】
防漏シート５は、サイドフラップ９に取り付けられて股下域７から前後胴周り域６，８へ向かって延びている。防漏シート５は、縦方向へ延びる固定側部５ａと、表面シート２の上方へ起立性向を有して縦方向へ延びる自由側部５ｂと、おむつ１Ａの横方向内方へ倒伏した固定両端部５ｃとを有する。自由側部５ｂには、縦方向へ延びる伸縮性弾性部材２０が収縮可能に取り付けられている。弾性部材２０は、自由側部５ｂの一部に被覆されている。
【００２３】
サイドフラップ９は、パネル４の両側縁４ａから横方向外方へ延びる表裏面シート２，３の側部２ａ，３ａと防漏シート５の固定側部５ａとから形成されている。サイドフラップ９では、表面シート２の側部２ａがパネル４の側縁４ａから横方向外方へわずかに延び、表面シート２の側部２ａからさらに横方向外方へ裏面シート３の側部３ａと防漏シート５の固定側部５ａとが延びている。側部２ａは、側部３ａと側部５ａとの間に介在し、それら側部３ａ，５ａの内面に固着されている。側部３ａと側部５ａとは、それら側部３ａ，５ａの互いに重なり合う部分においてそれら側部３ａ，５ａの内面どうしが固着されている。
【００２４】
弾性部材１７は、表面シート２の側部２ａと裏面シート３の側部３ａとの間に介在し、それらシート２，３の側部２ａ，３ａ内面に固着されている。弾性部材１７の縦方向端部１７ａは、裏面シート３とパネル４との間に介在し、裏面シート３の内面とパネル４の下面とに固着されている。脚周り用弾性部材１８は、裏面シート３の側部３ａと防漏シート５の固定側部５ａとの間に介在し、それらシート３，５の側部３ａ，５ａ内面に固着されている。
【００２５】
エンドフラップ１０は、パネル４の両端縁４ｂから縦方向外方へ延びる表裏面シート２，３の端部２ｂ，３ｂから形成されている。エンドフラップ１０では、表面シート２の端部２ｂと裏面シート３の端部３ｂとが互いに重なり合った状態で、それらシート２，３の端部２ｂ，３ｂ内面が固着されている。胴周り用弾性部材１９は、表面シート２の端部２ｂと裏面シート３の端部３ｂとの間に介在し、それらシート２，３の端部２ｂ，３ｂ内面に固着されている。防漏シート５の固定両端部５ｃは、表面シート２の端部２ｂ外面に固着されている。
【００２６】
後胴周り域８には、サイドフラップ９から横方向外方へ延びる一対のテープファスナ２１が取り付けられている。テープファスナ２１の自由端部には、粘着剤（図示せず）が塗布されている。前胴周り域６における裏面シート３の外面には、テープファスナ２１を着脱可能に止着する横方向へ長い矩形のターゲットテープ２２が取り付けられている。テープファスナ２１とターゲットテープ２２とは、可撓性を有するプラスチックフィルムから形成されている。
【００２７】
おむつ１Ａを着用するには、後胴周り域８のサイドフラップ９を前胴周り域６のサイドフラップ９の外側に重ね合わせ、粘着剤を介してテープファスナ２１の自由端部をターゲットテープ２２に止着し、前胴周り域６と後胴周り域８とを連結する。前後胴周り域６，８が連結されたおむつ１Ａには、胴周り開口２３とその下方に一対の脚周り開口２４とが形成される。おむつ１Ａでは、それを着用したときに、パネル４の前後胴周り当接部１１，１３が表面シート２を介して着用者の胴部に密着するとともに、パネル４の股下当接部１２が表面シート２を介して着用者の股間部に密着する。
【００２８】
着用状態にあるおむつ１Ａでは、図３に示すように、股下域７が着用者の股間部によって締め付けられ、弾性部材１７が股下域７の横方向中央部７ａへ引き寄せられるので、弾性部材１７が縦方向端部１７ａから股下域７に向かって、股下域７の横方向中央部７ａへ次第に近づくように傾斜する。
【００２９】
おむつ１Ａでは、それを着用したときに、前後胴周り域６，８が環を形成することによって、パネル４の翼部１４を折り曲げようとする力が作用する。さらに、おむつ１Ａでは、弾性部材１７の縦方向内方への収縮力が縦方向端部１７ａから股下域７の横方向中央部７ａへ向かって作用し、弾性部材１７の収縮力によってパネル４の翼部１４がおむつ１Ａの横方向内方へ引き寄せられる。おむつ１Ａでは、図４に矢印Ｘ１で示すように、翼部１４を折り曲げようとする力と弾性部材１７の収縮力とによって、パネル４の翼部１４が折曲案内部１５を介しておむつ１Ａの横方向内方へ向かって折れ曲がる。
【００３０】
おむつ１Ａでは、それを着用したときに、パネル４の翼部１４が横方向内方へ向かって折れ曲がるので、翼部１４を着用者の胴部に密着させることができ、翼部１４と着用者の胴部との間に隙間が生じることはなく、翼部１４における排泄物吸収機能を十分に利用することができる。
【００３１】
おむつ１Ａでは、折曲案内部１５がパネル４の非存在域１６から形成されているので、折曲案内部１５がパネル４の剛性の影響を受けることは少なく、翼部１４を折曲案内部１５で容易に折り曲げることができる。
【００３２】
おむつ１Ａでは、図２に示すように、それが表面シート２を内側にして縦方向へ湾曲すると、弾性部材２０が縦方向内方へ収縮し、防漏シート５の自由側部５ｂが表面シート２の上方へ起立する。おむつ１Ａでは、防漏シート５の自由側部５ｂが排泄物に対する障壁を形成するので、サイドフラップ９からの排泄物の漏れを防ぐことができる。
【００３３】
図５，６は、他の実施の形態を示すおむつ１Ｂの部分破断平面図と、図５のＢ−Ｂ線端面図とである。図５では、横方向を矢印Ｘで示し、縦方向を矢印Ｙで示す。
【００３４】
おむつ１Ｂは、その着用時に前後胴周り域６，８を連結する開放型のもので、透液性表面シート２および不透液性裏面シート３と、表裏面シート２，３の間に介在する吸液性パネル４とから構成されている。おむつ１Ｂは、一対のサイドフラップ９と一対のエンドフラップ１０とを有し、サイドフラップ９に不透液性防漏シート５が取り付けられている。
【００３５】
パネル４は、前後胴周り域６，８の横方向中央部６ａ，８ａに位置する前後胴周り当接部１１，１３と、股下域７の横方向中央部７ａに位置する股下当接部１２と、前後胴周り当接部１１，１３から横方向外方へ延びる一対の翼部１４とを有する。パネル４は、おむつ１Ｂの平面形状と同様に、砂時計型を呈する。パネル４の前胴周り当接部１１，１３と翼部１４との間には、縦方向へ延びる折曲案内部１５が形成されている。
【００３６】
折曲案内部１５は、そこに位置するパネル４の剛性が折曲案内部１５を除くパネル４の残余のそれよりも低い低剛性域２５から形成されている。折曲案内部２５は、翼部１４の内端縁１４ａから外端縁１４ｂへ向かって延び、外端縁１４ｂ近傍に達している。折曲案内部１５では、パネル４を形成する高吸収性ポリマー粒子と熱可塑性合成樹脂繊維とのうちの少なくとも一方の単位体積当たりの坪量が折曲案内部１５を除くパネル４の残余の単位体積当たりのそれよりも小さく、折曲案内部１５に位置するパネル４の厚み寸法が折曲案内部１５を除くパネル４の残余のそれよりも小さい。
【００３７】
股下域７のサイドフラップ９には、縦方向へ直状に延びる複数条の伸縮性弾性部材１７が配置されている。弾性部材１７は、股下当接部１２の両側縁４ａの外側に位置し、折曲案内部１５から横方向外方へ所与寸法離間している。弾性部材１７は、サイドフラップ９に収縮可能に取り付けられており、その縦方向端部１７ａが翼部１４の内端縁１４ａ近傍につながっている。折曲案内部１５と弾性部材１７との離間寸法は、図１のそれと同一である。
【００３８】
股下域７のサイドフラップ９には、弾性部材１７から横方向外方へ所与寸法離間して縦方向へ延びる複数条の脚周り用弾性部材１８が収縮可能に取り付けられている。エンドフラップ１０には、横方向へ延びる帯状の胴周り用弾性部材１９が収縮可能に取り付けられている。
【００３９】
おむつ１Ｂでは、それを着用したときに、弾性部材１７が縦方向端部１７ａから股下域７に向かって、股下域７の横方向中央部７ａへ次第に近づくように傾斜する。おむつ１Ｂでは、前後胴周り域６，８が環を形成することによって、パネル４の翼部１４を折り曲げようとする力が作用するとともに、縦方向端部１７ａから股下域７の横方向中央部７ａへ向かって作用する弾性部材１７の収縮力によって、パネル４の翼部１４がおむつ１Ｂの横方向内方へ引き寄せられ、翼部１４が折曲案内部１５を介しておむつ１Ｂの横方向内方へ向かって折れ曲がる。おむつ１Ｂでは、翼部１４を着用者の胴部に密着させることができ、翼部１４と着用者の胴部との間に隙間が生じることはなく、翼部１４における排泄物吸収機能を十分に利用することができる。
【００４０】
おむつ１Ｂでは、折曲案内部１５がパネル４の低剛性域２５から形成されているので、折曲案内部１５がパネル４の剛性の影響を受けることは少なく、翼部１４を折曲案内部１５で容易に折り曲げることができる。
【００４１】
図７，８は、他の実施の形態を示すおむつ１Ｃの部分破断平面図と、図７のＣ−Ｃ線端面図とである。図７では、横方向を矢印Ｘで示し、縦方向を矢印Ｙで示す。
【００４２】
おむつ１Ｃは、その着用時に前後胴周り域６，８を連結する開放型のもので、透液性表面シート２および不透液性裏面シート３と、表裏面シート２，３の間に介在する吸液性パネル４とから構成されている。おむつ１Ｃは、一対のサイドフラップ９と一対のエンドフラップ１０とを有し、サイドフラップ９に不透液性防漏シート５が取り付けられている。
【００４３】
パネル４は、前後胴周り域６，８の横方向中央部６ａ，８ａに位置する前後胴周り当接部１１，１３と、股下域７の横方向中央部７ａに位置する股下当接部１２と、前後胴周り当接部１１，１３から横方向外方へ延びる一対の翼部１４とを有する。パネル４は、おむつ１Ｃの平面形状と同様に、砂時計型を呈する。パネル４の前胴周り当接部１１，１３と翼部１４との間には、縦方向へ延びる折曲案内部１５が形成されている。
【００４４】
折曲案内部１５は、パネル４をその上面から下面に向かって厚み方向へ切断したスリット２６から形成されている。折曲案内部１５は、翼部１４の内端縁１４ａから外端縁１４ｂへ向かって延び、それら端部１４ａ，１４ｂを縦断している。前後胴周り当接部１１，１３と翼部１４とは、折曲案内部１５を挟んで分断されている。
【００４５】
股下域７のサイドフラップ９には、縦方向へ延びる１条の伸縮性弾性部材１７が配置されている。弾性部材１７は、股下当接部１２の両側縁４ａの外側に位置し、折曲案内部１５から横方向外方へ所与寸法離間している。弾性部材１７は、サイドフラップ９に収縮可能に取り付けられている。弾性部材１７は、股下域７の横方向中央部７ａへ向かって実質的に弧を画いている。折曲案内部１５と弾性部材１７との離間寸法は、図１のそれと同一である。
【００４６】
股下域７のサイドフラップ９には、弾性部材１７から横方向外方へ所与寸法離間して縦方向へ延びる複数条の脚周り用弾性部材１８が収縮可能に取り付けられている。エンドフラップ１０には、横方向へ延びる帯状の胴周り用弾性部材１９が収縮可能に取り付けられている。
【００４７】
おむつ１Ｃでは、それを着用したときに、弾性部材１７が縦方向端部１７ａから股下域７に向かって、股下域７の横方向中央部７ａへ次第に近づくように傾斜する。おむつ１Ｃでは、前後胴周り域６，８が環を形成することによって、パネル４の翼部１４を折り曲げようとする力が作用するとともに、縦方向端部１７ａから股下域７の横方向中央部７ａへ向かって作用する弾性部材１７の収縮力によって、パネル４の翼部１４がおむつ１Ｃの横方向内方へ引き寄せられ、翼部１４が折曲案内部１５を介しておむつ１Ｃの横方向内方へ向かって折れ曲がる。おむつ１Ｃでは、翼部１４を着用者の胴部に密着させることができ、翼部１４と着用者の胴部との間に隙間が生じることはなく、翼部１４における排泄物吸収機能を十分に利用することができる。
【００４８】
おむつ１Ｃでは、折曲案内部１５がパネル４をその厚み方向へ切断したスリット２６から形成されているので、折曲案内部１５がパネル４の剛性の影響を受けることがなく、翼部１４を折曲案内部１５で容易に折り曲げることができる。
【００４９】
おむつ１Ｃでは、弾性部材１７が股下域７の横方向中央部７ａへ向かって弧を画いているので、弾性部材１７の縦方向内方への収縮力が股下域７の横方向中央部７ａへ向かって作用し易く、パネル４の翼部１４を弾性部材１７の収縮力でおむつ１Ｃの横方向内方へ引き寄せることが一層容易である。
【００５０】
表面シート２には、親水性繊維不織布、多数の開孔を有する疎水性繊維不織布、微細な多数の開孔を有する透液性プラスチックフィルムのいずれかを使用することができる。裏面シート３や防漏シート５には、疎水性繊維不織布、通気不透液性プラスチックフィルム、疎水性繊維不織布を重ね合わせた複合不織布、疎水性繊維不織布と通気不透液性プラスチックフィルムとを重ね合わせた複合シートのいずれかを使用することができる。
【００５１】
裏面シート３や防漏シート５には、高い耐水性を有するメルトブローン法による繊維不織布の両面を、高い強度と良好な柔軟性とを有するスパンボンド法による繊維不織布で挟んだ複合不織布を使用することもできる。
【００５２】
不織布としては、スパンレース、ニードルパンチ、メルトブローン、サーマルボンド、スパンポンド、ケミカルボンド、エアースルー、の各製法により製造されたものを使用することができる。不織布の構成繊維としては、ポリオレフィン系、ポリエステル系、ポリアミド系、の各繊維、ポリエチレン／ポリプロピレンやポリエチレン／ポリエステルからなる芯鞘型複合繊維または並列型複合繊維を使用することができる。
【００５３】
シート２，３どうしの固着や表裏面シート２，３に対するパネル４の固着、表裏面シート２，３に対する防漏シート５の固着、シート２，３，５に対する弾性部材１７，１８，１９，２０の固着には、ホットメルト型接着剤、または、ヒートシールやソニックシール等の熱による溶着手段を利用することができる。
【００５４】
【発明の効果】
本発明にかかる使い捨ておむつによれば、パネルの胴周り当接部と翼部との間に折曲案内部が形成され、股下域のサイドフラップに折曲案内部から横方向外方へ所与寸法離間して縦方向へ延びる伸縮性弾性部材が収縮可能に取り付けられている。このおむつでは、それを着用したときに、股下域が着用者の股間部によって締め付けられ、弾性部材が股下域の横方向中央部へ引き寄せられるので、弾性部材が縦方向端部から股下域に向かって、股下域の横方向中央部へ次第に近づくように傾斜する。
【００５５】
このおむつでは、それを着用したときに、前後胴周り域が環を形成することのよって、パネルの翼部を折り曲げようとする力が作用するとともに、縦方向端部から股下域の横方向中央部へ向かって作用する弾性部材の収縮力によって、パネルの翼部がおむつの横方向内方へ引き寄せられ、翼部が折曲案内部を介しておむつの横方向内方へ向かって折れ曲がる。このおむつでは、翼部を着用者の胴部に密着させることができ、翼部と着用者の胴部との間に隙間が生じることはなく、翼部における排泄物吸収機能を十分に利用することができる。
【図面の簡単な説明】
【図１】
おむつの部分破断平面図。
【図２】
図１のおむつの斜視図。
【図３】
着用状態で示す図１のおむつの斜視図。
【図４】
図３のＡ−Ａ線端面図。
【図５】
他の実施の形態を示すおむつの部分破断平面図。
【図６】
図５のＢ−Ｂ線端面図。
【図７】
他の実施の形態を示すおむつの部分破断平面図。
【図８】
図７のＣ−Ｃ線端面図。
【符号の説明】
１Ａ          使い捨ておむつ
１Ｂ          使い捨ておむつ
１Ｃ          使い捨ておむつ
２            透液性表面シート
３            不透液性裏面シート
４            吸液性パネル
４ａ          両側縁
４ｂ          両端縁
６            前胴周り域
６ａ          横方向中央部
７            股下域
７ａ          横方向中央部
８            後胴周り域
８ａ          横方向中央部
９            サイドフラップ
１０            エンドフラップ
１１            前胴周り当接部
１２            股下当接部
１３            後胴周り当接部
１４            翼部
１４ａ          内端縁
１４ｂ          外端縁
１５            折曲案内部
１６            非存在域
１７            伸縮性弾性部材
１７ａ          縦方向端部
２５            低剛性域
２６            スリット
【手続補正２】
【補正対象書類名】図面
【補正対象項目名】図２
【補正方法】変更
【補正の内容】
【図２】
2003275236.tif 000001
【手続補正３】
【補正対象書類名】図面
【補正対象項目名】図４
【補正方法】変更
【補正の内容】
【図４】
2003275236.tif 000002